(57)【特許請求の範囲】
【請求項１】
所定間隔で測定された複数の測定データが記録される測定データ記録領域、前記測定データのそれぞれが測定された各測定時間を特定するための所定の測定時間が記録される測定時間記録領域、測定間隔時間が記録される測定間隔時間記録領域、前記測定データ記録領域内であって最新測定データが記録される最新測定データ記録領域に対してほぼ一定のアドレス距離を有する所定アドレスに規定され当該最新測定データ記録領域を特定するための特定用データが記録される特定用データ記録領域、および前記測定データについての上書き処理の有無を判別するための上書き判別用データが記録される上書き判別用データ記録領域から少なくとも構成され電気的に書き換え可能な不揮発性の記憶手段と、
前記測定データ記録領域における先頭記録領域から最後尾記録領域までの各記録領域にリングバッファ方式によって前記測定データを記録すると共に当該先頭記録領域に最初に記録した前記測定データの測定時間を前記測定時間記録領域に記録し、前記最新測定データを記録したときに前記特定用データ記録領域に前記特定用データを記録し、前記最後尾記録領域に前記最新測定データを記録したとき、および前記先頭記録領域に前記最新測定データを上書き記録したときのいずれか一方の時点において、前記上書き判別用データ記録領域に前記上書き判別用データを記録し、かつ、前記測定時間記録領域に当該最新測定データの測定時間を上書き記録する記録制御部とを備えていることを特徴とする記録装置。
【請求項２】
前記記録制御部は、前記最新測定データ記録領域に対して記録方向側の次アドレスを前記特定用データ記録領域として前記特定用データを記録することを特徴とする請求項１記載の記録装置。
【請求項３】
前記記憶手段は、ＥＥＰ−ＲＯＭであることを特徴とする請求項１または２記載の記録装置。
【請求項４】
駆動用の電池を備え、携帯可能に構成されたロガーであることを特徴とする請求項１から３のいずれかに記載の記録装置。
【発明の詳細な説明】
【０００１】
【発明の属する技術分野】
本発明は、予め規定された測定間隔時間毎に所定の測定項目についての測定を行い、その際の測定データを記憶手段に順次記録する記録装置に関するものである。
【０００２】
【従来の技術】
この種の記録装置として、図３に示す温度記録装置３１が従来から知られている。この温度記録装置３１は、例えば保冷庫内に設置されて温度測定および温度データの記録を所定時間おきに実行するロガーであって、図外のセンサによって検出され周囲温度に応じて電圧値または電流値が変化する測定信号ＳM に基づいて測定データＤM を生成する測定部２と、測定データＤM などの記録制御および外部装置に対する出力データＤO の出力制御などを実行する制御部３３と、制御部３３の制御下で測定データＤM などを記録する測定データ記録用メモリ３４と、最新に入力される測定信号ＳM に対応する測定データＤM を記録すべき測定データ記録用メモリ３４内のアドレスを特定するためのアドレスデータＤA を記録するアドレス記録用メモリ５と、駆動用の図外の電池とを備えている。この場合、測定データ記録用メモリ３４およびアドレス記録用メモリ５は、ＳＲＡＭ（Static RAM）でそれぞれ構成されている。また、図４に示すように、測定データ記録用メモリ３４は、順次生成される測定データＤM ，ＤM ・・を記録可能な先頭記録領域４１ａ、記録領域４１ｂ，４１ｃ・・、および最後尾記録領域４１ｘからなる測定データ記録領域４１と、測定間隔時間が記録される測定間隔時間記録領域４２と、測定データ記録領域４１に記録されている測定データＤM ，ＤM ・・の中で最も最先に測定された測定データＤM （以下、「最先測定データＤM 」という）の測定時間（以下、「最先測定時間」という）が記録される最先測定時間記録領域４３とで構成されている。
【０００３】
この温度記録装置３１を用いて保冷庫内における温度の測定記録を行う場合、まず、測定データ記録用メモリ３４およびアドレス記録用メモリ５内の各種データを初期リセットした後、測定開始時間および測定間隔時間を所定の操作で設定する。この際には、制御部３３が、測定間隔時間を測定間隔時間記録領域４２に記録し、かつ最初の測定データＤM を記録する測定データ記録領域４１内の所定アドレス（この例では、先頭記録領域４１ａのアドレス）を示すアドレスデータＤA をアドレス記録用メモリ５に記録する。次いで、この温度記録装置３１を保冷庫内に設置する。
【０００４】
測定開始時間に達したときには、測定部２が、入力した測定信号ＳM に基づいて測定データＤM を生成して制御部３３に出力する。この際に、制御部３３は、アドレス記録用メモリ５から読み出したアドレスデータＤA に従って先頭記録領域４１ａに測定データＤM を記録すると共に、その測定開始時間を最先測定時間として測定データ記録用メモリ３４の最先測定時間記録領域４３に記録し、かつ、次に測定される測定データＤM を記録すべき所定アドレス（この例では、記録領域４１ｂのアドレス）を示すアドレスデータＤA をアドレス記録用メモリ５に上書きする。この後、測定部２が、例えば１時間おきに測定信号ＳM を入力して測定データＤM を生成し、その都度、制御部３３が、その測定データＤM を測定データ記録用メモリ３４における測定データ記録領域４１内の所定アドレスに記録する。
【０００５】
一方、最後尾記録領域４１ｘに測定データＤM が記録された状態において、測定データＤM が生成された際には、制御部３３は、アドレス記録用メモリ５内のアドレスデータＤA に従って先頭記録領域４１ａに測定データＤM を上書き記録し、かつ、次の測定データＤM に対するアドレスデータＤA をアドレス記録用メモリ５に上書き記録すると共に、記録領域４１ｂ内の測定データＤM が測定された測定時間を最先測定時間として最先測定時間記録領域４３に上書き記録する。このようにして、例えば記録領域４１ｎまで測定データＤM が上書き記録された状態では、測定データ記録用メモリ３４の最先測定時間記録領域４３には、記録領域４１（ｎ＋１）内の測定データＤM の測定時間が最先測定時間として記録され、アドレス記録用メモリ５には、記録領域４１（ｎ＋１）のアドレスを示すアドレスデータＤA が記録される。
【０００６】
記録された測定データＤM ，ＤM ・・を解析して保冷庫内の温度管理状態を検査する際には、まず、パーソナルコンピュータ（以下、「パソコン」という）などの外部装置に測定データ記録用メモリ３４内の測定データＤM ，ＤM ・・を転送する。この際に、制御部３３は、外部装置から出力命令データＤOPが出力されたときに、測定データ記録用メモリ３４における測定データ記録領域４１内のすべての測定データＤM ，ＤM ・・、測定間隔時間記録領域４２内の測定間隔時間データ、最先測定時間記録領域４３内の最先測定時間データ、およびアドレス記録用メモリ５内のアドレスデータＤA を出力データＤO として外部装置に出力する。この後、パソコン側において、測定データＤM ，ＤM ・・、測定間隔時間、最先測定時間、およびアドレスデータＤA に基づいて、各測定データＤM およびそれに対応する各測定時間を特定した後、温度管理状態を検査する。
【０００７】
【発明が解決しようとする課題】
ところが、従来の温度記録装置３１には以下の問題点がある。すなわち、温度記録装置３１では、揮発性メモリであるＳＲＡＭが測定データ記録用メモリ３４に用いられている。このため、長期間に亘る使用によって電池の出力電圧が低下した場合など、測定データ記録用メモリ３４への電力供給が断たれたときには、測定データＤM ，ＤM ・・などが消失してしまうという問題点がある。
【０００８】
一方、温度記録装置３１において、ＳＲＡＭに代えてＥＥＰ−ＲＯＭ（Electrically Erasable PROM）などの不揮発性メモリで測定データ記録用メモリを構成することにより、電池の電圧低下などに起因する測定データＤM の消失を防止することも可能である。しかし、ＥＥＰ−ＲＯＭは、現状では、同一アドレスへのデータ記録耐用回数が１０万回程度となっている。一方、この温度記録装置３１では、測定データ記録用メモリ３４の先頭記録領域４１ａが１度上書き記録された以降の状態では、最先測定時間記録領域４３が、各測定データＤM が記録された都度、上書き記録される。したがって、この上書き記録処理によって最先測定時間記録領域４３の記録回数が測定データ記録用メモリ３４内の他の記録領域の記録回数と比較して極めて多くなるため、最先測定時間記録領域４３のみが短期間で耐用回数を超えてしまう。このため、この記録方法を採用した場合には、温度記録装置の長寿命化を損なう要因になるという問題点がある。なお、測定データと共にその測定時間を記録することによって、特定の記録領域への頻繁な上書き記録を回避することができるが、かかる場合には、測定データを記録可能な記録容量が少なくなるという他の問題が生じる。
【０００９】
本発明は、かかる問題点に鑑みてなされたものであり、測定データの消失を防止しつつ、測定装置の長寿命化を図り得る記録装置を提供することを主目的とする。
【００１０】
【課題を解決するための手段】
上記目的を達成すべく請求項１記載の記録装置は、所定間隔で測定された複数の測定データが記録される測定データ記録領域、測定データのそれぞれが測定された各測定時間を特定するための所定の測定時間が記録される測定時間記録領域、測定間隔時間が記録される測定間隔時間記録領域、測定データ記録領域内であって最新測定データが記録される最新測定データ記録領域に対してほぼ一定のアドレス距離を有する所定アドレスに規定され最新測定データ記録領域を特定するための特定用データが記録される特定用データ記録領域、および測定データについての上書き処理の有無を判別するための上書き判別用データが記録される上書き判別用データ記録領域から少なくとも構成され電気的に書き換え可能な不揮発性の記憶手段と、測定データ記録領域における先頭記録領域から最後尾記録領域までの各記録領域にリングバッファ方式によって測定データを記録すると共に先頭記録領域に最初に記録した測定データの測定時間を測定時間記録領域に記録し、最新測定データを記録したときに特定用データ記録領域に特定用データを記録し、最後尾記録領域に最新測定データを記録したとき、および先頭記録領域に最新測定データを上書き記録したときのいずれか一方の時点において、上書き判別用データ記録領域に上書き判別用データを記録し、かつ、測定時間記録領域に最新測定データの測定時間を上書き記録する記録制御部とを備えていることを特徴とする。なお、「特定用データ」として、最新測定データ記録領域のアドレス、または特定のコードを記録することができる。
【００１１】
この記録装置では、記録制御部が、測定データ記録領域における先頭記録領域に測定データを最初に記録した際に、その測定時間を測定時間記録領域に記録する。次いで、所定の測定を行う都度、記録制御部が、測定データ記録領域における先頭記録領域から最後尾記録領域までの各記録領域にリングバッファ方式によって測定データを記録し、かつ、その際に、特定用データを特定用データ記録領域に記録する。この場合、特定用データ記録領域としては、測定データ記録領域内であって、最新測定データが記録される最新測定データ記録領域に対してほぼ一定のアドレス距離を有するアドレス（例えば、最新測定データ記録領域に対してｎアドレス記録方向側のアドレス）に規定される。また、記録制御部は、最後尾記録領域に最新測定データを記録した時点（つまり、測定データ記録領域のすべてに測定データを記録した最初の時点）、または、先頭記録領域に最新測定データを上書き記録した時点（つまり、測定データ記録領域に対して最初に上書き記録した時点）で、上書き判別用データ記録領域に上書き判別用データを記録し、かつ、測定時間記録領域に最新測定データの測定時間を上書き記録する。この後、これらの記録処理を繰り返す。したがって、測定時間記録領域には、測定データ記録領域が全体として１回記録される毎に測定時間が上書き記録される。このため、測定データ記録領域全体として１度記録された後において測定データが上書き記録される毎に最先測定時間記録領域が上書き記録される従来の温度記録装置３１と比較して、同一アドレスへのデータ記録回数を激減することが可能となる結果、記憶手段の長寿命化、ひいては記録装置の長寿命化を図ることが可能となる。
【００１２】
一方、記憶手段に記録された測定データを解析する際には、各測定データ、最後尾記録領域（または先頭記録領域）内の測定時間、測定間隔時間、特定用データまたはそのアドレス、および上書き判別用データを記憶手段から外部装置に転送する。この後、外部装置において、記録装置から転送された各データに基づいて各測定時間毎の各測定データが再現されて解析される。この場合、この記録装置では、測定データの再現に必要なすべてのデータが不揮発性の記憶手段に記録されているため、電源断に起因する測定データの消失が防止されると共に、測定データ記録領域に測定データが上書き記録された場合であっても、測定時間記録領域に記録された測定時間、測定間隔時間および特定用データに基づいて、各測定データおよび対応する各測定時間を特定することが可能となる。
【００１３】
請求項２記載の記録装置は、請求項１記載の記録装置において、記録制御部は、最新測定データ記録領域に対して記録方向側の次アドレスを特定用データ記録領域として特定用データを記録することを特徴とする。
【００１４】
特定データ記録領域は、最新測定データ記録領域に対してｎアドレス記録方向側のアドレスに規定することができる。しかし、特定データ記録領域は測定データ記録領域内に規定されるため、測定データ記録領域のアドレスと特定データ記録領域のアドレスとが離間すればするほど、その分、測定データ記録領域が狭められる。この記録装置では、特定用データ記録領域が最新測定データ記録領域に対して記録方向側の次アドレスに規定される。したがって、測定データ記録領域を最も効率的に利用することが可能となる。
【００１５】
請求項３記載の記録装置は、請求項１または２記載の記録装置において、記憶手段は、ＥＥＰ−ＲＯＭであることを特徴とする。
【００１６】
記憶手段としては、ハードディスク、ＭＯディスクおよびフロッピーディスクなどの記録媒体を用いることができる。しかし、これら記録媒体は、サイズが大きいため、記録装置の小形化が困難になると共に、データの記録および読み出し速度が比較的遅く、しかも駆動用電力を大量に消費するという課題もある。一方、この記録装置では、記憶手段としてＥＥＰ−ＲＯＭが用いられている。この場合、ＥＥＰ−ＲＯＭは、ハードディスクなどの記録媒体と比較して、小形で、データの記録および読出しの速度が速く、しかも消費電力が小さい。したがって、記録装置の小形化および記録処理の高速化を図ることが可能になると共に、記録装置を内蔵電池によって駆動する場合、電池交換一回当りの記録可能回数を増やすことが可能となる。
【００１７】
請求項４記載の記録装置は、請求項１から３のいずれかに記載の記録装置において、駆動用の電池を備え、携帯可能に構成されたロガーであることを特徴とする。
【００１８】
【発明の実施の形態】
以下、添付図面を参照して、本発明に係る記録装置を温度記録装置に適用した好適な発明の実施の形態について説明する。
【００１９】
最初に、温度記録装置１の構成について、図１，２参照して説明する。
【００２０】
温度記録装置１は、全体として小形に形成された温度記録用のロガーであって、図２に示すように、測定部２、制御部３、測定データ記録用メモリ４、アドレス記録用メモリ５および駆動用電池６を備えている。測定部２は、入力した測定信号ＳM を測定データＤM にアナログ−ディジタル変換するアナログ−ディジタル変換器を内蔵し、変換した測定データＤM を制御部３に出力する。制御部３は、本発明における記録制御部に相当し、測定データＤM を測定データ記録用メモリ４にリングバッファ方式によって記録すると共に、各測定データＤM の測定時間を特定するための測定時間データや測定間隔時間データなどを測定データ記録用メモリ４に記録する。また、制御部３は、外部装置から入力される測定条件データＤC に基づく測定部２の測定制御などを実行すると共に、外部装置から出力命令データＤOPが入力されたときに、測定データ記録用メモリ４に記録されている各種データを出力データＤO として外部装置に転送する。この場合、外部装置との各種データの入出力は、図外の光通信手段を介して実行される。
【００２１】
測定データ記録用メモリ４は、本発明における記憶手段に相当し、小形で、データの記録および読出しの速度が速く、しかも消費電力が小さいＥＥＰ−ＲＯＭで構成されている。したがって、温度記録装置１の小形化および記録処理の高速化が図られ、かつ駆動用電池６の電池交換一回当りの記録可能回数が他の不揮発性記録手段よりも大幅に増加されている。測定データ記録用メモリ４は、図１に示すように、測定データＤM ，ＤM ・・が記録される先頭記録領域１１ａ、記録領域１１ｂ，１１ｃ・・、および最後尾記録領域１１ｘからなる測定データ記録領域１１を備えるほか、測定間隔時間が記録される測定間隔時間記録領域１２と、先頭記録領域１１ａまたは最後尾記録領域１１ｘに記録された測定データＤM の測定時間が記録される測定時間記録領域１３と、測定データ記録領域１１における最後尾記録領域１１ｘに測定データＤM が記録されたか否かを示す上書き判別用データが記録される上書き判別用データ記録領域１４とを少なくとも備えて、制御部３による記録制御に従って各種データが記録される。
【００２２】
この場合、最新の測定データＤM が記録された記録領域１１ｎの次アドレスである記録領域１１（ｎ＋１）は、本発明における特定用データ記録領域に相当し、この記録領域１１（ｎ＋１）には、記録方向に対して１つ手前のアドレスである記録領域１１ｎに最新の測定データＤM が記録されている旨を示すターミネーションデータＤT が記録される。したがって、最新測定データを記録した記録領域の次アドレスにターミネーションデータＤT が記録されるため、測定データ記録領域１１が最も効率的に利用される。なお、ターミネーションデータＤT は、測定データＤM に使用されることがなく、かつ明確に識別可能な特定のコードが用いられている。一方、アドレス記録用メモリ５は、最新に入力される測定信号ＳM に対応する測定データＤM が記録される測定データ記録用メモリ４内のアドレスを記録するメモリであって、ＳＲＡＭで構成され、そのアドレスデータが制御部３によって記録される。
【００２３】
次に、温度記録装置１による温度の測定処理および温度データの記録処理について説明する。
【００２４】
まず、保冷庫の所定場所にそれぞれ設置される各温度記録装置１に転送するための測定条件データＤC をパソコン上で作成する。この場合、測定条件データＤC は、温度記録装置１による温度の測定・記録の開始年月日時分秒を示す測定開始時刻データと、温度の測定間隔時間（時分秒）を示す測定間隔時間データとを少なくとも含んで構成される。一例として、１９９９年１月１日０９時００分００秒から１時間おきに測定・記録を実行させる旨の内容の測定条件データＤC を作成する。
【００２５】
一方、温度記録装置１では、電源投入後、最初の測定条件データＤC が転送された際には、制御部３が、まず、測定データ記録用メモリ４およびアドレス記録用メモリ５内の各種データを初期リセットする。次いで、制御部３は、測定条件データＤC に従い、測定間隔時間データ（この例では、「１時間」）を測定間隔時間記録領域１２に記録し、かつ最初の測定データＤM を記録すべき測定データ記録領域１１内の先頭記録領域１１ａのアドレスを示すアドレスデータＤA をアドレス記録用メモリ５に記録する。この状態で、保冷庫内の所定場所に温度記録装置１を設置する。
【００２６】
次いで、温度記録装置１では、測定開始時間に達したときに、測定部２が測定信号ＳM に基づいて測定データＤM を生成して制御部３に出力する。これに伴い、制御部３が、アドレス記録用メモリ５から読み出したアドレスデータＤA に従って測定データ記録領域１１の先頭記録領域１１ａに測定データＤM を記録すると共に、測定開始時間（この例では、「１月１日、９時０分」）に対応する測定時間データを先頭記録領域１１ａに記録された最初の測定データＤM の測定時間として測定時間記録領域１３に記録する。同時に、制御部３は、ターミネーションデータＤT を記録領域１１ｂに記録すると共に、次に測定される測定データＤM を記録する記録領域１１ｂのアドレスを示すアドレスデータＤA をアドレス記録用メモリ５に上書き記録する。次いで、この測定・記録処理から１時間を経過した際に、制御部３は、アドレス記録用メモリ５内のアドレスデータＤA に従って記録領域１１ｂに測定データＤM を記録すると共に、ターミネーションデータＤT を記録領域１１ｃに記録し、かつ、記録領域１１ｃのアドレスを示すアドレスデータＤA をアドレス記録用メモリ５に上書き記録する。
【００２７】
この後、測定・記録処理を１時間おきに実行することにより、先頭記録領域１１ａから最後尾記録領域１１ｘまで測定データＤM ，ＤM ・・が記録される。この際には、制御部３は、測定データ記録領域１１のすべてに測定データＤM が記録された旨を示す上書き判別用データを上書き判別用データ記録領域１４に記録すると共にターミネーションデータＤT を記録領域１１ａに記録する。また、制御部３は、最後尾記録領域１１ｘに記録した測定データＤM の測定時間を測定時間記録領域１３に上書き記録し、かつ、記録領域１１ａのアドレスを示すアドレスデータＤA をアドレス記録用メモリ５に上書き記録する。なお、最後尾記録領域１１ｘに測定データＤM を記録する場合に限り、測定データ記録領域１１とは別の記録領域に記録することもできる。
【００２８】
続いて、１時間経過後に測定データＤM が入力された際には、制御部３は、その測定データＤM をアドレス記録用メモリ５内のアドレスデータＤA に従い先頭記録領域１１ａに上書き記録すると共にターミネーションデータＤT を記録領域１１ｂに記録し、かつ、記録領域１１ｂのアドレスを示すアドレスデータＤA をアドレス記録用メモリ５に上書き記録する。
【００２９】
これらの測定・記録処理を繰り返し行い、例えば記録領域１１ｎまで測定データＤM が上書き記録された状態では、測定データ記録用メモリ４内の記録領域１１ｎには、最新の測定データＤM が記録され、記録領域１１（ｎ＋１）には、ターミネーションデータＤT が記録され、測定時間記録領域１３には、最後尾記録領域１１ｘ内の測定データＤM が測定された測定時間が記録され、上書き判別用データ記録領域１４には、上書き処理有りを示す上書き判別用データが記録され、かつ、アドレス記録用メモリ５には記録領域４１（ｎ＋１）のアドレスを示すアドレスデータＤA が記録される。
【００３０】
一方、上記した記録状態において、パソコン側で測定データＤM を収集する際には、パソコンから出力命令データＤOPを温度記録装置１に転送する。また、駆動用電池６の電池電圧が作動可能電圧よりも低下した際には、温度記録装置１において、測定部２による温度測定処理、並びに制御部３による記録処理および出力データＤO の出力が停止される。この場合には、駆動用電池６を入れ替えた後、パソコンから出力命令データＤOPを温度記録装置１に転送する。これらの際には、温度記録装置１の制御部３は、パソコンに対して、測定データ記録用メモリ４における測定データ記録領域４１内の測定データＤM ，ＤM ・・、ターミネーションデータＤT のアドレスデータ、測定間隔時間記録領域１２内の測定間隔時間データ、測定時間記録領域１３内の測定時間データ、および上書き判別用データ記録領域１４内の上書き判別用データを出力データＤO としてパソコンに出力する。
【００３１】
一方、パソコン側では、まず、上書き判別用データを判別する。この際に、上書き処理無しを意味する上書き判別用データが記録されていたときには、パソコンは、先頭記録領域１１ａの測定データＤM が最先測定データであって、ターミネーションデータＤT の直前アドレスに記録されている測定データＤM が最新測定データであると判別する。次いで、測定時間記録領域１３内の測定時間データが先頭記録領域１１ａ内の測定データＤM に対応する測定時間のため、この測定時間データ、および測定間隔時間記録領域１２内の測定間隔時間データに基づいて、各測定データＤM にそれぞれ対応する各測定時間を再現する。
【００３２】
逆に、上書き処理有りを意味する上書き判別用データが記録されていたときには、ターミネーションデータＤT の次アドレス内の測定データＤM が最も先に測定された最先測定データであって、かつ、測定時間記録領域１３内の測定時間データが、最後尾記録領域１１ｘ内の測定データＤM の測定時間に対応する。したがって、パソコンは、ターミネーションデータＤT の次アドレスから最後尾記録領域１１ｘまでの各測定データＤM にそれぞれ対応する各測定時間を、測定時間記録領域１３内の測定時間データおよび測定間隔時間記録領域１２内の測定間隔時間データに基づいて演算する。具体的には、測定時間記録領域１３内に時刻Ｔ１の測定時間データが記録され、かつ測定間隔時間記録領域１２内に時間ｔ１の測定間隔時間データが記録されている場合、最後尾記録領域１１ｘからｍａアドレス距離分先頭記録領域１１ａ側のアドレス内の測定データＤM に対応する測定時間は、時間ｔ１に値ｍａを乗算した時間を時刻Ｔ１から減算することにより演算される。
【００３３】
一方、先頭記録領域１１ａから記録領域１１ｎまでの間のアドレスに記録されている各測定データＤM については、先頭記録領域１１ａからｍｂアドレス距離分記録領域１１ｎ側のアドレス内の測定データＤM に対応する測定時間は、時間ｔ１に値（ｍｂ＋１）を乗算した時間を時刻Ｔ１に加算することにより演算される。以上の演算処理により、測定データ記録領域１１に記録されているすべての測定データＤM 、および対応する各測定時間が再現される。
【００３４】
このように、温度記録装置１では、各測定データＤM および対応する各測定時間を再現するのに必要な各種データが、ＥＥＰ−ＲＯＭを用いた測定データ記録用メモリ４内にすべて記録されている。このため、駆動用電池６の電池電圧が低下した場合であっても、電源断に起因する測定データＤM の消失を防止することができると共に、測定データ記録用メモリ４内に記録されている各種データを解析することにより、すべての測定データＤM および対応する測定時間を確実かつ容易に再現することができる。また、温度記録装置１では、測定間隔時間記録領域１２には、測定データ記録領域１１が全体として１回記録される毎に測定時間データが上書き記録される。このため、測定データ記録領域全体として１度記録された後において測定データが上書き記録される毎に最先測定時間が更新される従来の温度記録装置３１と比較して、同一アドレスへのデータ記録回数を激減することができる結果、測定データ記録用メモリ４の長寿命化、ひいては温度記録装置１の長寿命化を図ることができる。
【００３５】
なお、本発明は、上記した本発明の実施の形態に示した構成に限定されない。例えば、本発明の実施の形態では、温度記録装置１を例に挙げて説明したが、本発明における記録装置は、湿度、風速、風向、電圧、電流、および各種の信号波形を測定する記録装置に対して適用することができる。また、本発明の実施の形態では、最後尾記録領域１１ｘに測定データＤM を記録した時点で上書き判別用データ記録領域１４に上書き判別データを記録する例について説明したが、先頭記録領域１１ａに測定データＤM を上書き記録した時点で上書き判別用データを記録することによっても、同様な再現処理ですべての測定データＤM および対応する各測定時間を容易に再現することができる。さらに、上書き判別用データの上書き判別用データ記録領域１４への記録、および測定時間記録領域１３の上書き記録は、測定データＤM を先頭記録領域１１ａに上書き記録する際に行うこともできる。かかる場合、測定時間記録領域１３には、先頭記録領域１１ａ内の測定データＤM に対応する測定時間データが記録される。
【００３６】
さらに、本発明の実施の形態では、記憶手段としてＥＥＰ−ＲＯＭを用いた例について説明したが、本発明における記憶手段はこれに限定されず、ハードディスク、ＭＯディスクおよびフロッピーディスクなどの記録媒体を記憶手段として用いることができる。また、本発明の実施の形態では、パソコン上で作成して転送された測定条件データＤC に基づいて温度測定を実行するように構成した例について説明したが、温度記録装置に測定条件設定用の設定キーを配設し、キー操作によって設定した測定条件データＤC に基づいて、温度測定や出力データＤO の出力を可能に構成することもできる。さらに、測定条件データＤC 、出力命令データＤOPおよび出力データＤO のパソコンとの入出力方法は、本発明の実施の形態に示した光通信手段に限定されず、通信ケーブルや無線通信を介して入出力可能に構成することもできる。
【００３７】
【発明の効果】
以上のように、請求項１記載の記録装置によれば、電気的に書き換え可能な不揮発性の記憶手段に測定データを記録することにより、電源断に起因する測定データの消失を防止することができ、しかも、すべての測定データおよび対応する各測定時間を確実かつ容易に再現することができる。また、測定データ記録領域が全体として１回記録される毎に測定時間が測定時間記録領域に記録されるため、特定の記録領域のみに頻繁に上書き記録が行われることによる記憶手段の短命化が防止される結果、記憶手段の長寿命化、ひいては記録装置の長寿命化を図ることができる。
【００３８】
また、請求項２記載の記録装置によれば、最新測定データ記録領域の次のアドレスを特定用データ記録領域として特定用データを記録することにより、測定データ記録領域を最も効率的に利用することができる。
【００３９】
さらに、請求項３記載の記録装置によれば、ＥＥＰ−ＲＯＭで記憶手段を構成したことにより、記録装置の小形化、記録・読出し処理の短時間化および消費電力の低減を図ることができる。
【００４０】
また、請求項４記載の記録装置によれば、駆動用の電池を備えたことにより、携帯可能なロガーを構成することができ、しかも、電池電圧の低下に起因する測定データおよび対応する測定時間データの消失を確実に防止することができる。
【図面の簡単な説明】
【図１】温度記録装置１における測定データ記録用メモリ４のデータ構造の一例を示すデータ構造図である。
【図２】本発明の実施の形態に係る温度記録装置１の構成を示すブロック図である。
【図３】従来の温度記録装置３１の構成を示すブロック図である。
【図４】温度記録装置３１における測定データ記録用メモリ３４のデータ構造の一例を示すデータ構造図である。
【符号の説明】
１  温度記録装置
３  制御部
４  測定データ記録用メモリ
５  アドレス記録用メモリ
６  駆動用電池
１１  測定データ記録領域
１１ａ  先頭記録領域
１１ｎ，１１（ｎ＋１）  記録領域
１１ｘ  最後尾記録領域
１２  測定間隔時間記録領域
１３  測定時間記録領域
１４  上書き判別用データ記録領域
ＤM   測定データ
ＤT   ターミネーションデータ
【図１】
0004440391.tif 000002
【図２】
0004440391.tif 000003
【図３】
0004440391.tif 000004
【図４】
0004440391.tif 000005